(57)【要約】【課題】直流電源を供給可能な露出コンセントを提供する。【解決手段】露出コンセントＡは施工面に露出した状態で取り付けられる器体１を備え、器体１の前面には、プラグが挿抜自在に接続される直流の特別低電圧電源用のプラグ接続部２０が設けられている。プラグ接続部２０は、プラグの先端部が挿入される丸穴状のプラグ挿入用穴２１と、プラグ挿入用穴２１の内周面との間に隙間を設けた状態で、プラグ挿入用穴２１の底面から前方に向かって突出する円柱状の突出部２２と、当該突出部２２の前面に開口して、プラグが備えるプラグ側端子が差込接続される端子挿入用孔２３ａ，２３ｂと、端子挿入用孔２３ａ，２３ｂを通して突出部２２の内部に挿入されるプラグ側端子に電気的に接続される刃受部材とを備える。【選択図】図１
2010129233.tif 000002
【特許請求の範囲】
【請求項１】
施工面に露出した状態で取り付けられる器体の前面に、プラグが挿抜自在に接続される直流電源用のプラグ接続部を備え、
当該プラグ接続部は、前記プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、前記プラグが備えるプラグ側端子が差込接続される端子挿入用孔と、端子挿入用孔を通して突出部の内部に挿入されるプラグ側端子に電気的に接続される刃受部材とを備えたことを特徴とする露出コンセント。
【請求項２】
直流電源の電源線が接続される電源入力端子と、電源入力端子に入力された直流電源の電圧値を変換して前記刃受部材に供給するＤＣ／ＤＣコンバータとを備えたことを特徴とする請求項１記載の露出コンセント。
【請求項３】
交流電源の電源線が接続される電源入力端子と、電源入力端子に入力された交流電源を交流側と絶縁された所定電圧値の直流電源に変換して前記刃受部材に供給する電力変換部とを備えたことを特徴とする請求項１記載の露出コンセント。
【請求項４】
前記プラグ接続部に、前記プラグが備える接地極用のプラグ側端子が挿抜自在に接続される接地端子接続部を設けたことを特徴とする請求項１記載の露出コンセント。
【請求項５】
直流電源の電源線が接続される電源入力端子と、電源入力端子に入力された直流電源の電圧値を変換して前記刃受部材に供給するＤＣ／ＤＣコンバータとを備えたことを特徴とする請求項４記載の露出コンセント。
【請求項６】
交流電源の電源線が接続される電源入力端子と、電源入力端子に入力された交流電源を所定電圧値の直流電源に変換して前記刃受部材に供給する電力変換部とを備えたことを特徴とする請求項４記載の露出コンセント。
【請求項７】
前記プラグ接続部は、安全特別低電圧回路のプラグ接続部を規定したＩＥＣ規格に準拠していることを特徴とする請求項１乃至６の何れか１つに記載の露出コンセント。
【発明の詳細な説明】
【技術分野】
【０００１】
本発明は、露出コンセントに関するものである。
【背景技術】
【０００２】
従来、壁面のような施工面に露出した状態で施工される露出コンセントが提供されている（例えば特許文献１参照）。
【特許文献１】特開昭６１−２９６６６３号公報
【発明の開示】
【発明が解決しようとする課題】
【０００３】
従来の露出コンセントは商用交流電源（ＡＣ１００Ｖ）を供給するためのもので、商用交流電源の埋込コンセントしか施工されていない建物において、ラジオや電話機のように直流電源を駆動電源とする直流機器を使用したい場合に、例えば建物の壁などに後付けで設置したり、自由な場所に設置することが可能な直流電源用の露出コンセントは従来提供されてなかった。そのため、直流機器に直流電源を供給したい場合は、商用交流電源の埋込コンセントにＡＣ／ＤＣ変換アダプタを接続し、ＡＣ／ＤＣ変換アダプタにより交流電源を直流に変換して直流機器に供給する必要があった。
【０００４】
本発明は上記問題点に鑑みて為されたものであり、その目的とするところは、直流電源を供給可能な露出コンセントを提供することにある。
【課題を解決するための手段】
【０００５】
上記目的を達成するために、請求項１の発明は、施工面に露出した状態で取り付けられる器体の前面に、プラグが挿抜自在に接続される直流電源用のプラグ接続部を備え、当該プラグ接続部は、プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、プラグが備えるプラグ側端子が差込接続される端子挿入用孔と、端子挿入用孔を通して突出部の内部に挿入されるプラグ側端子に電気的に接続される刃受部材とを備えたことを特徴とする。
【０００６】
請求項２の発明は、請求項１の発明において、直流電源の電源線が接続される電源入力端子と、電源入力端子に入力された直流電源の電圧値を変換して刃受部材に供給するＤＣ／ＤＣコンバータとを備えたことを特徴とする。
【０００７】
請求項３の発明は、請求項１の発明において、交流電源の電源線が接続される電源入力端子と、電源入力端子に入力された交流電源を交流側と絶縁された所定電圧値の直流電源に変換して刃受部材に供給する電力変換部とを備えたことを特徴とする。
【０００８】
請求項４の発明は、請求項１の発明において、プラグ接続部に、プラグが備える接地極用のプラグ側端子が挿抜自在に接続される接地端子接続部を設けたことを特徴とする。
【０００９】
請求項５の発明は、請求項４の発明において、直流電源の電源線が接続される電源入力端子と、電源入力端子に入力された直流電源の電圧値を変換して刃受部材に供給するＤＣ／ＤＣコンバータとを備えたことを特徴とする。
【００１０】
請求項６の発明は、請求項４の発明において、交流電源の電源線が接続される電源入力端子と、電源入力端子に入力された交流電源を所定電圧値の直流電源に変換して刃受部材に供給する電力変換部とを備えたことを特徴とする。
【００１１】
請求項７の発明は、請求項１乃至６の何れか１つ発明において、プラグ接続部は、安全特別低電圧回路のプラグ接続部を規定したＩＥＣ規格に準拠していることを特徴とする。
【発明の効果】
【００１２】
請求項１の発明によれば、プラグ接続部からは直流電源が供給されるので、直流電源を供給可能な露出コンセントを実現でき、直流電源を供給可能な露出コンセントを後付けで設置したり、自由な場所に設置することができる。
【００１３】
請求項２の発明によれば、電源入力端子に入力された直流電源の電圧値を、ＤＣ／ＤＣコンバータにより所望の電圧値に変換して負荷に供給することができる。
【００１４】
請求項３の発明によれば、電源入力端子に入力された交流電源を、電力変換部により交流側と絶縁された所定電圧値の直流電源に変換しているので、直流電源の電源線が配線されていない場所でも、直流電源（安全特別低電圧電源）を供給することができる。
【００１５】
請求項４の発明によれば、接地極付きのプラグも接続することができる。
【００１６】
請求項５の発明によれば、電源入力端子に入力された直流電源の電圧値は、ＤＣ／ＤＣコンバータで変換されて刃受部材に供給されるので、接地極付きのプラグを有する直流機器に対して所望の電圧値の直流電源を供給することができる。
【００１７】
請求項６の発明によれば、電源入力端子に入力された交流電源を、電力変換部により交流側と絶縁された所定電圧値の直流電源に変換しているので、直流電源の電源線が配線されていない場所でも、接地極付きのプラグを有する直流機器に対して直流電源を供給することができる。
【００１８】
請求項７の発明によれば、ＩＥＣ規格に準拠したプラグを備える電気機器を接続して、使用することができる。
【発明を実施するための最良の形態】
【００１９】
以下に本発明の実施の形態を図面に基づいて説明する。
【００２０】
（実施形態１）
本発明の実施形態１を図１〜図１１に基づいて説明する。尚、以下に説明する各実施形態では、特にことわりがなければ、図１（ａ）の向きにおいて上下左右の方向を規定し、また図１（ａ）における正面を前面という。したがって、図１（ｂ）における上端は後端になる。
【００２１】
露出コンセントＡの器体１は、図１及び図２に示すように、壁面のような施工面に取り付けられる合成樹脂製のボディ２と、ボディ２の前面側に取着される合成樹脂製のカバー３とを結合して構成される。ボディ２は前面から見た形状が略矩形状であって、その四隅近傍にはタッピングねじからなる固定ねじ（図示せず）を挿通する挿通孔４が貫設されており、この挿通孔４に挿通した組立ねじを施工面にねじ込むことで、ボディ２が施工面に取着される。
【００２２】
ボディ２の前面略中央には、座金５ａ付きの端子ねじ５が螺合する２個の端子板６が左右に配置されており、各端子板６には刃受部材７が一体に設けられている。刃受部材７は、図４に示すように弾性を有する帯板を逆Ω字形に曲成して形成されており、底片の両側から突出する一対の刃受ばね片７ａは互いに対向配置され、両者の間隔が上方ほど幅狭となるように傾斜し、且つ、上端間はプラグ側端子が挿入しやすいよう上方ほど間隔が広がるように傾斜している。
【００２３】
カバー３は、後面が開口した略箱状であって、ボディ２を開口内に収めた状態でねじ止め或いは凹凸嵌合などの適宜の手段を用いてボディ２に結合される。このカバー３の前面中央には、プラグＢが挿抜自在に接続される直流の安全特別低電圧電源用のプラグ接続部２０が設けられている。また、カバー３の上側壁には、配線モールの導入用のノックアウト８が設けられており、露出コンセントＡに電源ケーブルを接続する際には、図３に示すように施工面にボディ２を取り付け、配線モール４０内に通された電源線４１を端子ねじ７を用いて端子板６にねじ止めした後、ノックアウト８を切り取ってできた切欠８ａに配線モール４０を挿入するようにしてカバー３をボディ２に結合する。尚、本実施形態では電源線４１が接続される電源入力端子をねじ式端子で構成しているが、ねじ締め作業を不要にした従来周知の速結端子構造の端子で電源入力端子を構成しても良い。
【００２４】
次に、プラグ接続部２０及びプラグ接続部２０に着脱自在に接続されるプラグＢについて図面を参照して説明する。プラグ接続部２０及びプラグＢはそれぞれＩＥＣ規格（ＣＥＩ／ＩＥＣ  ９０６−３）に準拠しており、ＩＥＣ規格（ＣＥＩ／ＩＥＣ  ９０６−３）では、８種類（直流及び交流の６Ｖ，１２Ｖ，２４Ｖ，４８Ｖ）の安全特別低電圧（ＳＥＬＶ：Safety Extra Low Voltage）電源に対して嵌合部分の形状、寸法および極配置が規定されている。
【００２５】
先ず、プラグ接続部２０に接続されるプラグＢについて図６及び図７を参照して説明する。プラグＢは例えば直流機器からの電線６０の端部に接続されている。プラグＢは略円柱状のプラグ本体５１を備え、プラグ本体５１の先端側には後側よりも細径となる円筒状の嵌合部５２が一体に設けられている。嵌合部５２の前面には、丸穴状に凹んだ嵌合穴５３が開口しており、嵌合穴５３の内周面には基準位置を示す基準リブ５５がプラグ挿抜方向（図６の上下方向）に沿って突設されている。そして、プラグ本体５１の中心位置を通り、当該中心位置と基準リブ５５とを結ぶ線分に対して直交する直線上には、中心位置に対して対称な位置に、プラグ挿抜方向に沿って延びる丸棒状の２本の棒状端子５４ａ，５４ｂが配置されている。
【００２６】
ここで、直流電源用のプラグＢでは、図７（ａ）に示すように基準リブ５５を上側に見た時に右側に位置する棒状端子５４ａが正極側、左側に位置する棒状端子５４ｂが負極側の棒状端子となっている。また嵌合穴５３の内周面には、電源の種類（直流又は交流の別、及び定格電圧）に応じた位置に、プラグ挿抜方向に沿って延びる誤接続防止用の識別リブ５６が突設されている。図７（ａ）は直流電源用のプラグＢに設けられた識別リブ５６の位置を示し、電源電圧がＤＣ６Ｖ，１２Ｖ，２４Ｖ，４８Ｖの場合、それぞれ、基準リブ５５の位置を基準（０°）として左回りに１２０°，１５０°，２１０°，２４０°の位置に識別リブ５６が１箇所ずつ形成されている。ここにおいて、図６に示すプラグＢはＤＣ４８Ｖ用であり、基準リブ５５の位置を基準として左回りに２４０°の位置に識別リブ５６が形成されている。なお、図７（ｂ）は交流電源用のプラグＢに設けられた識別リブ５６を示し、電源電圧がＡＣ６Ｖ，１２Ｖ，２４Ｖ，４８Ｖの場合、それぞれ、基準リブ５５の位置を基準として左回りに３０°，６０°，３００°，３３０°の位置に識別リブ５６が１箇所ずつ形成されている。
【００２７】
一方、プラグ接続部２０は、図１（ａ）、図４及び図５に示すように、プラグＢの先端部（嵌合部５２）が挿入される丸穴状のプラグ挿入用穴２１と、プラグ挿入用穴２１の内周面との間に隙間を設けた状態で、プラグ挿入用穴２１の底面から前方に向かって突出して嵌合穴５３内に挿入される円柱状の突出部２２と、当該突出部２２の前面に開口して、プラグＢの先端部に設けた棒状端子５４ａ，５４ｂが差込接続される一対の端子挿入用孔２３ａ，２３ｂと、端子挿入用孔２３ａ，２３ｂに臨むようにしてボディ２に配設され、端子挿入用孔２３ａ，２３ｂから突出部２２内に挿入された棒状端子５４ａ，５４ｂにそれぞれ電気的に接続される上記の刃受部材７，７とを備えている。
【００２８】
そして、突出部２２の側周面には基準位置を示す嵌合溝２４が形成され、突出部２２の中心位置を通り、当該中心位置と嵌合溝２４とを結ぶ線分に対して直交する直線上には、中心位置に対して対称な位置に上記の端子挿入用孔２３ａ，２３ｂが開口している。尚、嵌合溝２４を上側に見た時に左側に位置する端子挿入用孔２３ａが正極側、右側に位置する端子挿入用孔２３ｂが負極側の端子に対応している。また突出部２２の側周面には、電源の種類（直流又は交流の別、及び定格電圧）に応じた位置に、対応するプラグＢの識別リブ５６が嵌合する誤接続防止用の嵌合溝２５（誤接続防止溝）が形成されている。図５（ａ）は直流電源用のプラグ接続部２０に設けられた嵌合溝２５の位置を示し、電源電圧がＤＣ６Ｖ，１２Ｖ，２４Ｖ，４８Ｖの場合、それぞれ、嵌合溝２４の位置を基準（０°）として右回りに１２０°，１５０°，２１０°，２４０°の位置に嵌合溝２５が１箇所ずつ形成されている。ここにおいて、図１に示すプラグ接続部２０はＤＣ４８Ｖ用であり、嵌合溝２４の位置を基準として右回りに２４０°の位置に嵌合溝２５が形成されている。なお図５（ｂ）は交流電源用のプラグ接続部２０に設けられた嵌合溝２５の位置を示し、電源電圧がＡＣ６Ｖ，１２Ｖ，２４Ｖ，４８Ｖの場合、それぞれ、嵌合溝２４の位置を基準（０°）として右回りに３０°，６０°，３００°，３３０°の位置に嵌合溝２５が１箇所ずつ形成されている。
【００２９】
而して、プラグ接続部２０に適合したプラグＢの嵌合部５２がプラグ挿入用穴２１に挿入されると、嵌合部５２の嵌合穴５３に突出部２２が挿入されるとともに、嵌合部５２の内周面に設けた基準リブ５５及び識別リブ５６がそれぞれ突出部２２の嵌合溝２４，２５に係入される。このとき、突出部２２の端子挿入用孔２３ａ，２３ｂを通して、突出部２２内に挿入された棒状端子５４ａ，５４ｂは、それぞれ、対応する刃受部材７，７に電気的に接続され、露出コンセントＡからプラグＢに直流の特別低電圧電源が供給されるとともに、棒状端子５４ａ，５４ｂに刃受部材７，７が弾接する弾接力などによって、プラグＢがプラグ接続部２０に接続された状態で保持される。以上説明したように本実施形態の露出コンセントＡでは、プラグ接続部２０から直流のＳＥＬＶ電源が供給されるので、直流のＳＥＬＶ電源を供給可能な露出コンセントＡを実現することができ、直流電源を供給可能な露出コンセントＡを後付けで設置したり、自由な場所に設置することができる。
【００３０】
ところで、本実施形態では器体１の前面にプラグ接続部２０を１口だけ設けているが、プラグ接続部２０の数を１口に限定する趣旨のものではなく、プラグ接続部２０を複数口設けても良い。図８はプラグ接続部２０を２口設けた例を示し、２口のプラグ接続部２０ａ，２０ｂが、器体１の前面に上下方向に並べて設けられている。ここで、複数口のプラグ接続部２０から同じ電圧値の特別低電圧電源を供給するようにしても良いが、図９に示すように直流電源Ｅからの電源線４１が接続される電源入力端子Ｔ１，Ｔ２（端子板６及び端子ねじ７からなる）を備え、電源入力端子Ｔ１，Ｔ２に入力されたＤＣ４８Ｖの直流電源を一方のプラグ接続部２０ａにそのまま供給するとともに、電源入力端子Ｔ１，Ｔ２に入力された直流電源の電圧値をＤＣ／ＤＣコンバータ９によりＤＣ２４Ｖに変換してもう一方のプラグ接続部２０ｂに供給するようにしてもよく、ＤＣ／ＤＣコンバータ９によって電圧値が負荷に適合した電圧値に変換された直流電源を各プラグ接続部２０ａ，２０ｂから供給することができる。
【００３１】
また、上述の実施形態では電源入力端子Ｔ１，Ｔ２に直流電源が入力されているが、交流電源を直流電源に変換する電力変換部を露出コンセントＡに内蔵させ、露出コンセントＡが、電源入力端子Ｔ１，Ｔ２に入力された交流電源を直流に変換して負荷機器に供給するようにしてもよい。図１１は電力変換部を備えた露出コンセントＡの内部回路図であり、電源入力端子Ｔ１，Ｔ２に入力された交流電源ＡＣを絶縁トランス１０の一次側に入力させるとともに、絶縁トランス１０の二次側に発生する交流電力をＡＣ／ＤＣコンバータ１１により直流電源に変換し、さらにＤＣ／ＤＣコンバータ１２によって電圧値を負荷に適合した電圧値に変換した後、プラグ接続部２０に供給している。また露出コンセントＡは、交流用の差込プラグの栓刃（図示せず）が挿入される一対の栓刃挿入口３１を具備した交流用のプラグ接続部３０を備え、電源入力端子Ｔ１，Ｔ２に入力された交流電源がプラグ接続部３０にそのまま供給されており、このプラグ接続部３０と直流用のプラグ接続部２０は器体１の前面に上下に並べて配置されている。而して、この露出コンセントＡでは、直流電源からの電源線が配線されていない場所でも、商用交流電源からの電源線を電源入力端子Ｔ１，Ｔ２に接続し、電源入力端子Ｔ１，Ｔ２に入力された交流電源を電力変換部（ＡＣ／ＤＣコンバータ１１及びＤＣ／ＤＣコンバータ１２からなる）により交流側と絶縁された所定電圧値の直流電源に変換して負荷機器に供給することができる。
【００３２】
尚、図１１に示す回路ではＤＣ／ＤＣコンバータ１２が、ＡＣ／ＤＣコンバータ１１の出力を所定電圧値の直流電源に変換して、直流用のプラグ接続部２０に供給しているが、プラグ接続部２０を複数備え、ＤＣ／ＤＣコンバータ１２が、ＡＣ／ＤＣコンバータ１１の出力を複数種類の電圧値の直流電源に変換して複数のプラグ接続部２０に供給してもよく、複数のプラグ接続部２０からそれぞれ
負荷に適合した電圧値の直流電源を供給することができる。
【００３３】
（実施形態２）
本発明の実施形態２を図１２〜図１７に基づいて説明する。本実施形態では、実施形態１で説明した露出コンセントＡのプラグ接続部２０において、電圧極用のプラグ側端子が接続される電源端子接続部Ｃ１に加えて、プラグが備える接地極用のプラグ側端子が挿抜自在に接続される接地端子接続部Ｃ２を設けてある。尚、接地端子接続部Ｃ２以外の構成は実施形態１と同一であるので、共通する構成要素には同一の符号を付して、その説明は省略する。
【００３４】
先ず、露出コンセントＡに接続される接地極付きのプラグＢ’について説明する。プラグＢ’は、図１７に示すように、直流機器からの電線６０の端部に接続され、略直方体状であってプラグ挿抜方向に沿う一面が断面半円形に湾曲したプラグ本体５１’を有し、プラグ本体５１’の前側部には後側部に比べて細幅の嵌合部５２’が一体に設けられている。嵌合部５２’の前面には、丸穴状に凹んだ嵌合穴５３が長手方向の一端側に、角穴状に凹んだ嵌合穴５７が長手方向の他端側にそれぞれ開口し、嵌合穴５３と嵌合穴５７との間には所定の間隔を設けてある。
【００３５】
角穴状の嵌合穴５７の内部には、導電材料により丸棒状に形成された接地極用の棒状端子５８が片側に寄せて配置されている。一方、丸穴状の嵌合穴５３の内部には、導電材料によりそれぞれ丸棒状に形成された電圧極用の２本の棒状端子５４ａ，５４ｂが配置されている。この嵌合穴５３の内周面には、基準位置を示す基準リブ５５と、電源の種類を示す識別リブ５６とがプラグ挿抜方向に沿って突設されている。ここで、基準リブ５５の突出量が、実施形態１で説明したＳＥＬＶ電源用のプラグＢに設けられた基準リブ５５の突出量よりも小さい寸法に設定された点を除いては、棒状端子５４ａ，５４ｂ、基準リブ５５、及び識別リブ５６の形状、大きさ及び配置は実施形態１で説明したプラグＢと同様であるので、その説明は省略する。
【００３６】
次に、本実施形態の露出コンセントＡが備えるプラグ接続部２０について説明する。プラグ接続部２０は、図１２（ａ）に示すように、プラグＢ’の嵌合部５２’と前面の形状及び大きさが同じであって嵌合部５２’が挿抜自在に接続されるプラグ挿入用穴２１を備えるとともに、プラグ挿入用穴２１の底面からは、プラグＢ’の嵌合穴５３内に挿入される円柱状の突出部２２と、嵌合穴５７内に挿入される角柱状の突出部２６とがそれぞれ前方に向かって突出形成されている。尚、角柱状の突出部２６は、嵌合穴５７に比べて幅寸法（図１２（ａ）中の上下方向寸法）が略半分に形成されている。
【００３７】
そして、円柱状の突出部２２の前面には、電圧極用の棒状端子５４ａ，５４ｂがそれぞれ挿入される端子挿入用孔２３ａ，２３ｂが開口し、突出部２２の内側には端子挿入用孔２３ａ，２３ｂを通して内部に挿入される棒状端子５４ａ，５４ｂに電気的に接続される上記の刃受部材７，７が収納されている。また突出部２２の外周面には、基準位置を示す嵌合溝２４が設けられるとともに、電源の種類に対応した位置に識別リブ５６が係入する嵌合溝２５が設けられている。ここで、嵌合溝２４の深さ寸法（すなわち突出部２２の側周面から嵌合溝２４の底面までの深さ寸法）が、実施形態１で説明したＳＥＬＶ電源用のプラグ接続部２０に設けられた嵌合溝２４の深さ寸法よりも小さい寸法に設定された点を除いては、端子挿入用孔２３ａ，２３ｂ及び嵌合溝２４，２５の形状、寸法および配置は実施形態１で説明したプラグ接続部２０と同様であるので、詳細な説明は省略する。
【００３８】
また突出部２６の前面には、接地極用の棒状端子５８が挿入される端子挿入用孔２７が開口している。突出部２６の内部には、上述の刃受部材７と同様の形状を有する刃受部材（図示せず）が収納されており、端子挿入用孔２７を通して内部に挿入された接地極用のプラグ側端子（棒状端子５８）が、接地極用の刃受部材に電気的に接続されるようになっている。
【００３９】
ここにおいて、プラグＢ’の嵌合部５２’が挿入されるプラグ挿入用穴２１、当該プラグ挿入用穴２１の内周面との間に隙間を設けた状態で、プラグ挿入用穴２１の底面から前方に向かって突出し、プラグＢ’の嵌合穴５３内に挿入される円柱状の突出部２２、当該突出部２２の前面に開口して電圧極用の棒状端子５４ａ，５４ｂが差込接続される端子挿入用孔２３ａ，２３ｂ、及び端子挿入用孔２３ａ，２３ｂに臨んで突出部２２内に配置される刃受部材７，７などから、プラグＢ’の備える電圧極用の棒状端子５４ａ，５４ｂが挿抜自在に接続される電源端子接続部Ｃ１が構成される。またプラグ挿入用穴２１、プラグ挿入用穴２１の底面から前方に突出する角柱状の突出部２６、突出部２６の前面に開口した端子挿入用孔２７、及び端子挿入用孔２７に臨んで突出部２６内に配置された刃受部材（図示せず）などから、プラグＢ’が備える接地極用の棒状端子（プラグ側端子）が挿抜自在に接続される接地端子接続部Ｃ２が構成され、電源端子接続部Ｃ１とは異なる部位に接地端子接続部Ｃ２が設けられているので、接地極付きのプラグＢ’を備えた直流機器を接続することもできる。
【００４０】
ところで本実施形態では、器体１の前面に、接地端子接続部Ｃ２が設けられたプラグ接続部２０を１口だけ設けているが、プラグ接続部２０の数を１口に限定する趣旨のものではなく、プラグ接続部２０を複数口設けても良い。図１３はプラグ接続部２０を２組設けた例を示し、器体１の前面には上下方向に並べて２口のプラグ接続部２０ａ，２０ｂが設けられている。ここで、複数口のプラグ接続部２０ａ，２０ｂからは同じ電圧値の特別低電圧電源を供給しても良いが、図１４に示すように直流電源Ｅからの電源線４１が接続される電源入力端子Ｔ１，Ｔ２（端子板６及び端子ねじ７からなる）を備え、電源入力端子Ｔ１，Ｔ２に入力されたＤＣ４８Ｖの直流電源を一方のプラグ接続部２０ａにそのまま供給するとともに、電源入力端子Ｔ１，Ｔ２に入力された直流電源の電圧値をＤＣ／ＤＣコンバータ９によりＤＣ２４Ｖに変換してもう一方のプラグ接続部２０ｂに供給するようにしてもよく、複数のプラグ接続部２０ａ，２０ｂから複数種類の電圧値の直流電源を供給することができる。尚、図１４中のＴ３は接地線４２を接続するためのアース端子であり、アース端子Ｔ３は各プラグ接続部２０ａ，２０ｂの接地端子接続部Ｃ２に電気的に接続されている。
【００４１】
また、上述の実施形態では電源入力端子Ｔ１，Ｔ２に直流電源が入力されているが、交流電源を直流電源に変換する電力変換部を露出コンセントＡに内蔵させ、露出コンセントＡが、電源入力端子Ｔ１，Ｔ２に入力された交流電源を直流に変換して負荷機器に供給するようにしてもよい。図１６は電力変換部を備えた露出コンセントＡの内部回路図であり、電源入力端子Ｔ１，Ｔ２に入力された交流電源ＡＣをＡＣ／ＤＣコンバータ１１により直流電源に変換し、さらにＤＣ／ＤＣコンバータ１２により電圧値を変換した後、プラグ接続部２０に供給している。この露出コンセントＡは、図１５示すように交流用の差込プラグ（図示せず）が備える電圧極用の栓刃がそれぞれ挿入される一対の栓刃挿入口３１及び接地極用の棒状端子が挿入される接地極挿入口３２を具備して電源入力端子Ｔ１，Ｔ２に入力された交流電源を差込プラグにそのまま供給する交流用のプラグ接続部３０を、直流用のプラグ接続部２０と共に備えており、器体１の前面には交流用のプラグ接続部３０と直流用のプラグ接続部２０が上下に並べて配置されている。
【００４２】
而して、この露出コンセントＡでは、直流電源からの電源線が配線されていない場所でも、商用交流電源からの電源線を電源入力端子Ｔ１，Ｔ２に接続し、電源入力端子Ｔ１，Ｔ２に入力された交流電源を電力変換部（ＡＣ／ＤＣコンバータ１１及びＤＣ／ＤＣコンバータ１２からなる）により所望の電圧値の直流電源に変換し、接地極付きのプラグＢ’を介して負荷機器に供給することができる。
【００４３】
尚、図１６に示す回路ではＤＣ／ＤＣコンバータ１２が、ＡＣ／ＤＣコンバータ１１の出力を１種類の電圧に変換して、直流用のプラグ接続部２０に供給しているが、プラグ接続部２０を複数備え、ＤＣ／ＤＣコンバータ１２が、ＡＣ／ＤＣコンバータ１１の出力を複数種類の電圧値の直流電源に変換して負荷機器に供給するようにしても良い。
【図面の簡単な説明】
【００４４】
【図１】実施形態１の露出コンセントを示し、（ａ）は正面図、（ｂ）は上面図、（ｃ）は下面図、（ｄ）は右側面図である。
【図２】同上のカバーを外した状態の一部省略せる正面図である。
【図３】同上の施工状態を示す外観斜視図である。
【図４】同上の要部断面図である。
【図５】（ａ）（ｂ）は同上のプラグ接続部に設けた嵌合溝の配置説明図である。
【図６】同上に接続されるプラグの外観斜視図である。
【図７】（ａ）（ｂ）は同上のプラグに設けた識別リブの配置説明図である。
【図８】同上の露出コンセントの他の構成を示し、（ａ）は正面図、（ｂ）は上面図、（ｃ）は下面図、（ｄ）は右側面図である。
【図９】同上の露出コンセントの内部回路図である。
【図１０】同上の露出コンセントのまた別の構成を示し、（ａ）は正面図、（ｂ）は上面図、（ｃ）は下面図、（ｄ）は右側面図である。
【図１１】同上の露出コンセントの内部回路図である。
【図１２】実施形態２の露出コンセントを示し、（ａ）は正面図、（ｂ）は上面図、（ｃ）は下面図、（ｄ）は右側面図である。
【図１３】同上の露出コンセントの他の構成を示し、（ａ）は正面図、（ｂ）は上面図、（ｃ）は下面図、（ｄ）は右側面図である。
【図１４】同上の内部回路図である。
【図１５】同上の露出コンセントのまた別の構成を示し、（ａ）は正面図、（ｂ）は上面図、（ｃ）は下面図、（ｄ）は右側面図である。
【図１６】同上の内部回路図である。
【図１７】同上に接続されるプラグの外観斜視図である。
【符号の説明】
【００４５】
Ａ  露出コンセント
Ｂ  プラグ
１  器体
２０  プラグ接続部
２１  プラグ挿入用穴
２２  突出部
２３ａ，２３ｂ  端子挿入用孔
５４ａ，５４ｂ  棒状端子（プラグ側端子）
【図１】
2010129233.tif 000003
【図２】
2010129233.tif 000004
【図３】
2010129233.tif 000005
【図４】
2010129233.tif 000006
【図５】
2010129233.tif 000007
【図６】
2010129233.tif 000008
【図７】
2010129233.tif 000009
【図８】
2010129233.tif 000010
【図９】
2010129233.tif 000011
【図１０】
2010129233.tif 000012
【図１１】
2010129233.tif 000013
【図１２】
2010129233.tif 000014
【図１３】
2010129233.tif 000015
【図１４】
2010129233.tif 000016
【図１５】
2010129233.tif 000017
【図１６】
2010129233.tif 000018
【図１７】
2010129233.tif 000019